(57)【要約】【課題】冷気ダクト内に紫外線を照射するランプを設け、この紫外線によって励起された光触媒フィルタにより臭い分子を分解する冷蔵庫がある。このランプに対面するフィルタ面では光触媒作用による消臭効果は期待できるが、ランプに対面しないフィルタの裏側面ではランプから発する紫外線が直接届かず消臭効果は少ない。そこで、フィルタの裏側では紫外線を受ける量が少ない場合にも、フィルタの表側と裏側では異なる臭いを消臭するようにして、フィルタの表裏両面での消臭作用が効果的に行える冷却貯蔵庫を提供する。【解決手段】冷気が通過するフィルタが紫外線を照射するランプに対向配置され、フィルタのランプとの対面側には紫外線によって冷気中の臭い分子を分解して消臭する光触媒が含まれ、フィルタの対面側の裏側には紫外線を受けなくても冷気中の別の臭いを消臭する消臭剤が含まれた特徴を有する。【選択図】      図５
2005009784.tif 000002
【特許請求の範囲】
【請求項１】
冷気通路の冷気が通過する複数の通過孔を形成したフィルタが紫外線を照射するランプに対向配置され、前記フィルタの前記ランプとの対面側には、前記ランプからの紫外線によって前記冷気中の臭い分子を分解して消臭する光触媒が存在し、前記フィルタの前記対面側の裏側には前記紫外線を受けなくても前記冷気中の別の臭いを消臭する消臭剤が存在することを特徴とする冷却貯蔵庫。
【請求項２】
冷気通路の冷気が通過する複数の通過孔を形成したフィルタが紫外線を照射するランプに対向配置され、前記フィルタの前記ランプとの対面側には、前記ランプからの紫外線によって前記冷気中のメチルメルカプタンを分解して消臭する光触媒が存在し、前記フィルタの前記対面側の裏側には前記紫外線を受けなくても前記冷気中のアンモニア臭を消臭する消臭剤が存在することを特徴とする冷却貯蔵庫。
【請求項３】
冷気通路の冷気が通過する複数の通過孔を形成したフィルタが紫外線を照射するランプに対向配置され、前記フィルタは粉末状活性炭が含まれた基材によって前記複数の通過孔が存するハニカム状又はコルゲート状に形成され、前記フィルタの前記ランプとの対面側の表面には、前記ランプからの紫外線によって前記冷気中の臭い分子を分解消臭する酸化チタンが無機質のバインダに担持されて存在し、前記フィルタの前記対面側の裏側には、前記紫外線を受けなくても前記冷気中の別の臭いを消臭する消臭剤が存在することを特徴とする冷却貯蔵庫。
【請求項４】
冷気通路の冷気が通過する複数の通過孔を形成したフィルタが紫外線を照射するランプに対向配置され、前記フィルタは粉末状活性炭が含まれた基材によって前記複数の通過孔が存するハニカム状又はコルゲート状に形成され、前記フィルタの前記ランプとの対面側の表面には、前記ランプからの紫外線によって前記冷気中の臭い分子を分解消臭する光触媒が存在し、前記フィルタの前記対面側の裏側には、前記紫外線を受けなくても前記冷気中の別の臭いを消臭する消臭剤が存在し、前記フィルタの前記ランプとの対面側の表面と前記光触媒フィルタの前記対面側の裏側の表面色を異ならしめたことを特徴とする冷却貯蔵庫。
【請求項５】
前記消臭剤をアスコルビン酸、クエン酸の少なくともいずれかにしたことを特徴とする請求項１乃至４のいずれかに記載の冷却貯蔵庫。
【請求項６】
前記光触媒を酸化チタンとしたことを特徴とする請求項１、２及び４のいずれかに記載の冷却貯蔵庫。
【発明の詳細な説明】
【０００１】
【発明の属する技術分野】
本発明は、冷却貯蔵庫内を循環する冷気中に含まれる臭いを減少させる装置を備えた冷却貯蔵庫に関する。
【０００２】
【従来の技術】
冷蔵庫内を循環する冷気が通る冷気ダクト内に紫外線を照射し庫内に可視光を照射するランプと、ダクト内に設けられ前記紫外線を受ける光触媒フィルタとを備え、光触媒フィルタはコルゲート型若しくは格子状ハニカム型であり、ランプから発する紫外線によって励起された光触媒により、フィルタの吸着剤により集められた臭い分子が分解される冷蔵庫がある（例えば、特許文献１参照）。
【０００３】
【特許文献１】
特開２００３−１０６７５２号公報（Ｐ１〜３、図２、図４）
【０００４】
【発明が解決しようとする課題】
特許文献１の方法では、ランプに対面するフィルタ面では光触媒作用による消臭効果は期待できるが、ランプに対面しないフィルタの裏側面では、ランプから発する紫外線が直接届かず、ダクトの壁によって反射する紫外線によって励起するだけであるためその作用は極めて弱い。このため、フィルタの表面積が消臭には有効に働いていない。
【０００５】
本発明は、このような点に鑑みて、フィルタの表側と裏側を消臭のために有効に機能させる技術を提供するものである。そして、フィルタの裏側では紫外線を受ける量が少ない場合にも、フィルタの表側と裏側では異なる臭いを消臭するようにして、フィルタの表裏両面での消臭作用が効果的に行える冷却貯蔵庫を提供する。
【０００６】
【課題を解決するための手段】
本発明は、冷気通路の冷気が通過する複数の通過孔を形成したフィルタが紫外線を照射するランプに対向配置され、前記フィルタの前記ランプとの対面側には、前記ランプからの紫外線によって前記冷気中の臭い分子を分解して消臭する光触媒が含まれ、前記フィルタの前記対面側の裏側には前記紫外線を受けなくても前記冷気中の別の臭いを消臭する消臭剤が含まれた特徴を有する。このため、紫外線が当たるフィルタの表側では光触媒が有効に作用して消臭効果が得られ、紫外線が当たり難いフィルタの裏側では、冷気中の別の臭いを消臭でき、冷却貯蔵庫内の複数の臭いをフィルタの両面を有効に利用して消臭できるものとなる。
【０００７】
また、前記フィルタの前記ランプとの対面側には、前記ランプからの紫外線によって前記冷気中のメチルメルカプタンを分解して消臭する光触媒が存在し、前記フィルタの前記対面側の裏側には前記紫外線を受けなくても前記冷気中のアンモニア臭を消臭する消臭剤が存在することを特徴とする。このため、紫外線が当たるフィルタの表側では光触媒が有効に作用して、玉葱や腐敗した魚の臭いなどのような悪臭となるメチルメルカプタンを分解して消臭し、紫外線が当たり難いフィルタの裏側では、冷気中の別の臭いであるアンモニア臭を消臭でき、冷却貯蔵庫内の複数の臭いをフィルタの両面を有効に利用して消臭できるものとなる。
【０００８】
また本発明は、冷気通路の冷気が通過する複数の通過孔を形成したフィルタが紫外線を照射するランプに対向配置され、前記フィルタは粉末状活性炭が含まれた基材によって前記複数の通過孔が存するハニカム状又はコルゲート状に形成され、前記フィルタの前記ランプとの対面側の表面には、前記ランプからの紫外線によって前記冷気中の臭い分子を分解消臭する酸化チタンが無機質のバインダに担持されて存在し、前記フィルタの前記対面側の裏側には、前記紫外線を受けなくても前記冷気中の別の臭いを消臭する消臭剤が含まれたことを特徴とする。このため、ハニカム状又はコルゲート状によって多数の通過孔が形成され、基材に含まれた粉末状活性炭による冷気浄化作用と共に、この通過孔の紫外線が当たるフィルタの表側では、酸化チタンがその作用を失うことなく機能し、紫外線が当たり難いフィルタの裏側では、冷気中の別の臭いを消臭でき、冷却貯蔵庫内の複数の臭いをフィルタの両面を有効に利用して消臭できるものとなる。
【０００９】
また本発明は、冷気通路の冷気が通過する複数の通過孔を形成したフィルタが紫外線を照射するランプに対向配置され、前記フィルタは粉末状活性炭が含まれた基材によって前記複数の通過孔が存するハニカム状又はコルゲート状に形成され、前記フィルタの前記ランプとの対面側の表面には、前記ランプからの紫外線によって前記冷気中の臭い分子を分解消臭する光触媒が存在し、前記フィルタの前記対面側の裏側には、前記紫外線を受けなくても前記冷気中の別の臭いを消臭する消臭剤が存在し、前記フィルタの前記ランプとの対面側の表面と前記光触媒フィルタの前記対面側の裏側の表面色を異ならしめたことを特徴とする。
【００１０】
このため、基材に含まれた粉末状活性炭による冷気浄化作用と共に、紫外線が当たるフィルタの表側では光触媒が有効に作用して消臭効果が得られ、紫外線が当たり難いフィルタの裏側では、冷気中の別の臭いを消臭でき、冷却貯蔵庫内の複数の臭いをフィルタの両面を有効に利用して消臭できるものとなる。そして、フィルタの表側と裏側の色が異なるため、フィルタをランプに対して設置する面を見定めることが容易となる。この色は、フィルタ６０の表側は白色系とし、裏側はその反対色の活性炭の黒色系とすることにより、フィルタの設置方向を間違える虞が極めて少なく、冷却貯蔵庫へ正確な向きに組み込みできることとなる。
【００１１】
また本発明では、前記光触媒を酸化チタンとし、前記消臭剤をアスコルビン酸、クエン酸の少なくともいずれかにしたことを特徴とする。このため、酸化チタンによって玉葱や腐敗した魚の臭いなどのような悪臭となるメチルメルカプタンを分解して消臭し、一方のアスコルビン酸又はクエン酸によってアンモニア臭を消臭できるため、冷却貯蔵庫内の複数の臭いに対してフィルタの両面を有効に消臭作用面として利用できるものとなる。
【００１２】
【発明の実施の形態】
次に、本発明の実施の形態について説明する。各図は本発明の実施形態を示しており、図１は本発明冷蔵庫の正面図、図２は本発明冷蔵庫の縦断側面図、図３は本発明の冷蔵庫本体を正面から見た説明図、図４は本発明冷蔵庫のダクト構成部分の分解斜視図、図５は本発明冷蔵庫のフィルタ設置部分を拡大した縦断側面図である。
【００１３】
本発明は冷凍庫、冷蔵庫、冷凍冷蔵庫等の冷却貯蔵庫に関し、その一つである冷蔵庫に基づき本発明を説明する。ここで、１は本発明の冷却貯蔵庫の一つである冷蔵庫であり、全面開口の本体２内を区画して複数の貯蔵室を形成し、これら各貯蔵室の前面は扉で開閉できる構成である。冷蔵庫本体２は、外箱（外壁板）２Ａと内箱（内壁板）２Ｂとの間に発泡断熱材２Ｃを充填した断熱構造である。冷蔵庫本体２内には、上から冷蔵室３、野菜室４、上冷凍室５と製氷室７、下冷凍室６が区画されて設けられ、冷蔵室３内底部にはその上方の冷蔵室３と区画板（区画壁）８にて区画された特定低温室９が設けられている。上冷凍室５は冷気量調節装置を手動操作して冷蔵室とすることもできるので、切り換え室と称することもできる。
【００１４】
冷蔵室３の前面開口は、冷蔵庫本体２の一側部にヒンジ装置にて横方向に回動する回動式の冷蔵室扉１０にて開閉される。野菜室４の前面開口は、野菜室４内に設けた左右のレール又はローラ装置２１によって前後方向へ引き出し可能に支持した野菜容器１５と共に前方へ引き出される引き出し式扉１１にて閉塞されている。上冷凍室５と下冷凍室６はそれぞれ野菜室４と同様に、冷凍室内に設けた左右のレールに対して、それぞれ前後方向へ引き出し可能に支持した容器１６、１７と共に前方へ引き出される引き出し式扉１２、１３にて閉塞されている。
【００１５】
製氷室７内には、上部に自動製氷機１８を設けその下部に貯氷容器１９を配置している。貯氷容器１９は、野菜室４と同様に、製氷室７内の左右壁に設けた左右のレールに対してそれぞれ前後方向へ引き出し可能に支持されており、製氷室７の前面開口を開閉する引き出し式扉１４と共に前方へ引き出される仕組みである。２０は自動製氷機１８へ供給する製氷用水を貯める給水容器であり、冷蔵室３内において特定低温室９の横に形成した小室に配置されており、冷蔵室３の前面扉１０を開いて前方へ取り出し自在である。製氷用水は給水容器２０からポンプによって吸い上げられて給水パイプを介して自動製氷機１８の製氷皿２２へ供給される。
【００１６】
２４は冷凍システムの冷媒の圧縮機、２５は冷凍システムの冷媒の凝縮器である。２６は凝縮器２５の熱によって後述の除霜水を蒸発させるための蒸発皿であり、凝縮器２５上に載置して冷蔵庫本体２の前面下部から引き出し自在である。圧縮機２４、凝縮器２５、蒸発皿２６は、冷蔵庫本体２の下部に設けた機械室２８に設置されている。２９、３０は冷凍システムの冷媒の蒸発器（冷却器）である。３１は第１蒸発器（冷却器）２９で冷却した冷気を上冷凍室５、下冷凍室６及び製氷室７へ循環する第１送風機、３２は第２蒸発器（冷却器）３０で冷却した冷気を冷蔵室３、野菜室４及び特定低温室９へ循環する第２送風機である。３３は第１蒸発器（冷却器）２９の除霜用ガラス管ヒータ、３４は、第２蒸発器（冷却器）３０の除霜用ガラス管ヒータである。第１蒸発器（冷却器）２９の除霜水は排水管を通って蒸発皿２６へ導かれてそこで蒸発する。また第２蒸発器（冷却器）３０の除霜水は下方の露受け部４７で受けられて排水管４８を通って蒸発皿２６へ導かれてそこで蒸発する。３５は第２蒸発器（冷却器）３０で冷却された冷気が第２送風機３２から導かれる冷気ダクトであり、冷蔵室３の上壁に幅広く配置されその前端は冷蔵室３の前面開口部の上面に形成した冷気吹き出し口３６へ連通している。この冷気吹き出し口３６から吹き出す冷気は、冷蔵室３の前面開口部を矢印のように上から下へ流れる冷気カーテン３７を形成する。第１蒸発器（冷却器）２９で冷却した冷気と第２蒸発器（冷却器）３０で冷却した冷気は、夫々第１送風機３１及び第２送風機３２によって矢印のように循環して各室を所定温度に冷却する。
【００１７】
このような構成において、各室の温度は、冷蔵室３が約３〜４℃、野菜室４が約２〜６℃に保たれ、上冷凍室５と下冷凍室６と更に製氷室７が約−１８℃〜−２０℃である。また、冷蔵室扉１０の内側に設けた貯蔵棚３８上は５〜８℃である。特定低温室９は、０℃よりも高い約１℃のチルド室であったり、０℃よりも低く食品の凍結温度よりも高い約０〜−１℃の氷温室であったり、また、食品の表面に薄い氷の層が形成される程度の約−３℃の部分凍結室であったりする。このように特定低温室９は、食品を特定の温度領域内で冷却保存するためのものであり、他の室に比して厳しい温度制御が要求される。
【００１８】
第２蒸発器（冷却器）３０で冷却した冷気を第２送風機３２によって冷蔵室３と野菜室４とに循環させる冷気循環経路の形成に関し、冷蔵室３の背面部には図４に示すダクト構成を設けている。これにおいて、４０は冷蔵室３の背面板、４１は冷気通路部材である第１ダクト部材、４２は冷気通路部材である第２ダクト部材である。第２ダクト部材４２は発泡スチロールにて成形されていて、背面板４０の裏側に形成した左右一対のリブ間に嵌り合って保持されている。背面板４０、第１ダクト部材４１及び第２ダクト部材４２は冷気通路部材を構成し、これらの組み合わせによって、第１ダクト部材４１の左右部分４１Ａと第２ダクト部材４２の左右部分４２Ａとの間には、冷蔵室３の背面板４０の裏側に左右に位置する冷気通路４３Ａ、４３Ｂが形成される。４４は冷蔵室３の天井板４５の上面に配置されて天井板４５と共に冷気ダクト３５を形成する冷気通路部材としてのダクト部材である。
【００１９】
第２蒸発器（冷却器）３０で冷却した冷気は、第２送風機３２によって冷蔵室３と野菜室４とに循環される。その経路は、第２送風機３２を通過した冷気は、一部が前方の供給口４６から冷気ダクト３５を通って冷気吹き出し口３６から吹き出す。また第２送風機３２を通過した冷気の他の部分は、冷蔵室３の背面板４０の裏側の左右の冷気通路４３Ａ、４３Ｂを通って、冷蔵室３の背面板４０に形成した冷気吹き出し口３９から冷蔵室３へ吹き出し、冷気通路４３Ａ、４３Ｂを更に下方へ流れつつ一部分の冷気が冷気吹き出し口３９Ａから特定低温室９へ吹き出す。
【００２０】
左右の冷気通路４３Ａ、４３Ｂを更に下方へ流れた冷気は、冷気出口５０から冷蔵室３と野菜室４との間に形成した冷気通路５１へ供給される。冷気通路５１は、冷蔵室３と野菜室４との間の仕切り板５２と野菜室４の天井板５３との間に形成される。仕切り板５２は冷蔵室３の底壁を構成している。野菜室４の天井板５３は、野菜容器１５の上面開口を略塞ぐ位置に配置されており、野菜室４の前方へ取り外し可能に野菜室４の左右壁等に支持している。また、冷蔵室３の冷気は、仕切り板５２に形成した冷気出口５６から冷気通路５１へ流れる。
【００２１】
冷気通路５１へ供給された冷気は、冷気通路５１の前端の出口５４から野菜室４へ流下し、野菜容器１５と扉１１との間に形成された空間から野菜容器１５の周囲に形成された空間を通って、野菜室４の背面に形成した冷気吸い込み口５５から吸い込まれる。
【００２２】
冷蔵室３の裏側の左右冷気通路４３Ａ、４３Ｂの間には、背面板４０と本体２との間に冷気帰還の冷気通路５７が形成されている。冷気吸い込み口５５から吸い込まれた冷気は、冷気通路５７へ流れて第２蒸発器（冷却器）３０の下側へ流入し、再び第２蒸発器（冷却器）３０によって冷却されて上記の循環を行う。
【００２３】
６０は冷気通路５７の帰還冷気が通過する複数の通過孔６１を形成したフィルタであり、冷気通路５７を横切るように冷気通路５７の横幅方向に長く延びた板状をなす。背面板４０は後方へ屈曲した段部６２を形成しており、この段部６２によって、帰還冷気が通過する冷気通路５７は前方へ屈曲した状態となる。フィルタ６０は、この段部６２より上部の背面板４０と略並列状態になるように、この段部６２上に略垂直状態に立った状態で取り付けられ、冷気通路５７の帰還冷気が前後方向に通過するように冷気通路５７の帰還冷気と交差する態勢となる。フィルタ６０は粉末状活性炭が含まれた基材によって複数の通過孔６１が存するハニカム状又はコルゲート状に成形されている。図４の形態では、フィルタ６０は、冷気通路５７の帰還冷気が前後方向に通過するように縦方向に配置され、冷気通路５７を流れる帰還冷気が矢印のようにスムースに流れるように、通過孔６１は冷気通路５７に沿うように斜め上方に向いた状態である。
【００２４】
６３はフィルタ６０へ紫外線を照射するランプであり、冷蔵室３側に位置してフィルタ６０と対向配置されるように背面板４０を貫通した状態に取り付けられている。フィルタ６０へは紫外線を照射するが冷蔵室３へは紫外線を照射しないようにするために、ランプ６３のフィルタ６０側の面は石英ガラスで形成されている。そして、ランプ６３の冷蔵室３側の面は通常のガラスであるソーダガラスで形成され、この内面には蛍光体が塗布されている。このため、ランプ６３の冷蔵室３側の面からは有害な紫外線が照射されないように遮断されると共に、冷蔵室３側には可視光が通過する。冷蔵室３に露出したランプ６３の面には、淡い青色などの着色を施すことによって、冷蔵室３の前面扉１０を開いたとき、その着色光によってランプ６３が点灯していることを確認できると共に、冷蔵室３内の装飾にもなる。
【００２５】
このような構成において、本発明では、フィルタ６０のランプ６３との対面側である表側には、ランプ６３からの紫外線によって冷気通路５７を流れる帰還冷気中のメチルメルカプタンを分解して消臭する光触媒が存在し、フィルタ６０のランプ６３との対面側の反対側、即ちフィルタ６０の裏側には、ランプ６３からの紫外線を受けなくても冷気中のアンモニア臭を消臭する消臭剤が存在する構成である。
【００２６】
その一つとして、前記光触媒は酸化チタンであり、前記消臭剤はアスコルビン酸、クエン酸の少なくともいずれかである。このため、紫外線が当たるフィルタ６０の表側では酸化チタンが有効に作用して、玉葱や腐敗した魚の臭いなどのような悪臭となるメチルメルカプタンを分解して消臭し、一方のアスコルビン酸又はクエン酸によってアンモニア臭を消臭できるため、冷却貯蔵庫１内の複数の臭いに対してフィルタ６０の両面を有効に消臭作用面として利用できるものとなる。
【００２７】
より詳しくは、フィルタ６０のランプ６３との対面側には、ランプ６３からの紫外線によって、冷気通路５７を流れる帰還冷気中の臭い分子であるメチルメルカプタンを分解して消臭するための光触媒と臭いの吸着剤としての疎水性ゼオライトが存在する。またフィルタ６０のランプ６３との対面側の裏側（図５の右側面）には、ランプ６３からの紫外線を受けなくても冷気通路５７を流れる帰還冷気中の別の臭いであるアンモニアを消臭する消臭剤として、Ｌ−アスコルビン酸と臭いの吸着剤としての疎水性ゼオライトが存在する。このため、紫外線が当たるフィルタ６０の表側では光触媒が有効に作用して消臭効果が得られ、紫外線が当たり難いフィルタ６０の裏側では、冷気中の別の臭いを消臭でき、フィルタ６０の両面を有効に利用できるものとなる。
【００２８】
また本発明は、冷気通路５７の冷気が通過する複数の通過孔６１を形成したフィルタ６０が紫外線を照射するランプ６３に対向配置され、フィルタ６０は粉末状活性炭が含まれた基材によって複数の通過孔６１が存するハニカム状又はコルゲート状に形成されている。そして、フィルタ６０のランプ６３との対面側の表面には、ランプ６３からの紫外線によって冷気通路５７の冷気中の臭い分子を分解消臭する酸化チタンが無機質のバインダに担持されて存在し、フィルタ６０の前記対面側の裏側には、ランプ６３からの紫外線を受けなくても前記冷気中の別の臭いを消臭する消臭剤として、アスコルビン酸及び又はクエン酸を配置している。
【００２９】
これにより、ハニカム状又はコルゲート状によって多数の通過孔６１が形成され、この通過孔６１の紫外線が当たるフィルタ６０の表側では、酸化チタンがその作用を失うことなく機能し、紫外線が当たり難いフィルタ６０の裏側では、冷気中の別の臭いであるアンモニア臭をアスコルビン酸、クエン酸が消臭でき、フィルタ６０の両面を有効に利用できるものとなる。
【００３０】
また本発明は、複数の通過孔６１を形成したフィルタ６０が紫外線を照射するランプ６３に対向配置され、フィルタ６０は粉末状活性炭が含まれた基材によって複数の通過孔６１が存するハニカム状又はコルゲート状に形成され、フィルタ６０のランプ６３との対面側の表面には、ランプ６３からの紫外線によって前記冷気中の臭い分子を分解消臭する光触媒が含まれ、フィルタ６０の前記対面側の裏側には、前記紫外線を受けなくても前記冷気中の別の臭いを消臭する消臭剤が含まれ、フィルタ６０のランプ６３との対面側の表面とフィルタ６０の前記対面側の裏側の表面色とを異ならしめた構成である。
【００３１】
このため、紫外線が当たるフィルタ６０の表側では光触媒が有効に作用して消臭効果が得られ、紫外線が当たり難いフィルタ６０の裏側では、冷気中の別の臭いを消臭でき、フィルタ６０の両面を有効に利用できるものとなる。そして、フィルタ６０の表側と裏側の色が異なるため、フィルタ６０をランプ６３に対して設置する面を見定めることが容易となり、冷蔵庫１への組み込み状態を正確にできる効果がある。この色は、フィルタ６０の表側は白色系とし、裏側はその反対色の活性炭の黒色系とすることにより、フィルタ６０の設置方向を間違える虞が極めて少なくなる。
【００３２】
本発明の一つの実施形態として、酸化チタンを疎水性ゼオライトに担持させたものをフィルタ６０のランプ６３との対面側である表側に塗布や吹き付け等により付着配置させ、また、Ｌ−アスコルビン酸を疎水性ゼオライトに担持させたものをフィルタ６０のランプ６３との対面側の反対側、即ちフィルタ６０の裏側に塗布や吹き付け等により付着配置させている。この実施形態では、臭いの吸着剤である疎水性ゼオライトで酸化チタンとＬ−アスコルビン酸を担持させたが、この疎水性ゼオライトに代わって活性炭を採用してもよい。
【００３３】
このように、フィルタ６０のランプ６３との対面側では、臭い分子を物理吸収した後に光触媒で分解する。一方、フィルタ６０のランプ６３との対面側の反対側、即ちフィルタ６０の裏側では、臭い分子を物理吸収した後に食用可能な酸と化学吸着反応を起し消臭する。
【００３４】
上記実施形態では、酸化チタンはフィルタ６０の裏側には配置せずに酸化チタンの使用量を減じた構成としている。また、Ｌ−アスコルビン酸はフィルタ６０のランプ６３との対面側には配置していない。それは、Ｌ−アスコルビン酸をフィルタ６０のランプ６３との対面側に配置しても、酸化チタンにより分解され効果がないからである。
【００３５】
また、本発明は、上記実施形態の冷蔵庫に限定されず、冷凍庫又は冷凍冷蔵庫にも適用でき、本発明の技術的範囲を逸脱しない限り種々の形態が考えられ、それに係る種々の実施形態を包含するものである。
【００３６】
【発明の効果】
本発明によれば、紫外線が当たるフィルタの表側では光触媒が有効に作用して消臭効果が得られ、紫外線が当たり難いフィルタの裏側では、冷気中の別の臭いを消臭でき、冷却貯蔵庫内の複数の臭いをフィルタの両面を有効に利用して消臭できるものとなる。
【００３７】
そして、請求項２によって、紫外線が当たるフィルタの表側では光触媒が有効に作用して、玉葱や腐敗した魚の臭いなどのような悪臭となるメチルメルカプタンを分解して消臭し、紫外線が当たり難いフィルタの裏側では、冷気中の別の臭いであるアンモニア臭を消臭でき、冷却貯蔵庫内の複数の臭いをフィルタの両面を有効に利用して消臭できるものとなる。
【００３８】
そして、請求項３によって、ハニカム状又はコルゲート状によって多数の通過孔が形成され、基材に含まれた粉末状活性炭による冷気浄化作用と共に、この通過孔の紫外線が当たるフィルタの表側では、酸化チタンがその作用を失うことなく機能し、紫外線が当たり難いフィルタの裏側では、冷気中の別の臭いを消臭でき、冷却貯蔵庫内の複数の臭いをフィルタの両面を有効に利用して消臭できるものとなる。
【００３９】
そして、請求項４によって、基材に含まれた粉末状活性炭による冷気浄化作用と共に、紫外線が当たるフィルタの表側では光触媒が有効に作用して消臭効果が得られ、紫外線が当たり難いフィルタの裏側では、冷気中の別の臭いを消臭でき、冷却貯蔵庫内の複数の臭いをフィルタの両面を有効に利用して消臭できるものとなる。そして、フィルタの表側と裏側の色が異なるため、フィルタをランプに対して設置する面を見定めることが容易となる。この色は、フィルタ６０の表側は白色系とし、裏側はその反対色の活性炭の黒色系とすることにより、フィルタの設置方向を間違える虞が極めて少なく、冷却貯蔵庫へ正確な向きに組み込みできることとなる。
【００４０】
そして、請求項５及び６によって、光触媒を酸化チタンとし、消臭剤をアスコルビン酸、クエン酸の少なくともいずれかにしたことにより、酸化チタンによって玉葱や腐敗した魚の臭いなどのような悪臭となるメチルメルカプタンを分解して消臭し、一方のアスコルビン酸又はクエン酸によってアンモニア臭を消臭できるため、冷却貯蔵庫内の複数の臭いに対してフィルタの両面を有効に消臭作用面として利用できるものとなる。
【図面の簡単な説明】
【図１】本発明冷蔵庫の正面図である。
【図２】本発明冷蔵庫の縦断側面図である。
【図３】本発明の冷蔵庫本体を正面から見た説明図である。
【図４】本発明冷蔵庫のダクト構成部分の分解斜視図である。
【図５】本発明冷蔵庫のフィルタ設置部分を拡大した縦断側面図である。
【符号の説明】
１……冷蔵庫
２……冷蔵庫本体
３……冷蔵室
４……野菜室
１０……冷蔵室扉
３０……蒸発器（冷却器）
３２……送風機
４０……冷蔵室の背面板
５７……冷気通路
６０……フィルタ
６１……通過孔
６２……背面板の段部
６３……ランプ
【図１】
2005009784.tif 000003
【図２】
2005009784.tif 000004
【図３】
2005009784.tif 000005
【図４】
2005009784.tif 000006
【図５】
2005009784.tif 000007